(57)【要約】      （修正有）【課題】カイロによる温熱効果をより安全で有効にするためのカイロ吊りベルトを提供する。【解決手段】かいろを入れるカイロ袋１，２をカイロ袋固定帯ベルト３，４に固定し、２本の吊り帯ベルト５，６の両端をそれぞれ前記カイロ袋固定帯ベルト３，４に縫いつけた。【選択図】図１
0003185493.tif 000002
【実用新案登録請求の範囲】
【請求項１】
カイロを肩から帯ベルトで吊るして人体とカイロの間に空気の隙間を設けて、カイロの熱が空気層を経て体に伝わる様にしたカイロベルト。
【考案の詳細な説明】
【産業上の利用分野】
【０００１】考案は、カイロによる温熱効果をより安全で有効にするためのカイロ吊りベルトに関するものである。
【背景技術】
【０００２】カイロを人体に装着するものについては、カイロを袋に入れて人体につけるか、カイロを帯ベルトに固定した布袋にいれて、胴・腰・太もも等に巻きつけて使用するものがあります。
また、使い捨て貼るカイロは、カイロに粘着剤をつけたものを直接、下着とか衣類に貼り付けるものがあります。
【考案が解決しようとする課題】
【０００３】従来のカイロを袋に入れて、内ポケットに入れて使用しても、カイロの熱が肌着、上着などを通して伝わるので効率が悪く、暖かくない。更に服にポケット等がない時は袋に入れても紐等でカイロ袋を身体に固定するしかなかった。身体に固定すると、熱が伝わり過ぎて熱くなり過ぎた。
【０００４】また、帯ベルトに袋を取り付け、その中にカイロをいれて、身体に巻きつける場合も、カイロの熱が伝わり過ぎて、熱くなり過ぎる事が多々あり、途中でカイロの位置を変えないと駄目だった。
【０００５】使い捨て貼るカイロでも、肌着に粘着剤で貼り付けるので、カイロの熱が伝わり過ぎて、熱くなり過ぎるので困る事があります。また衣服が粘着剤で傷むこともあります。
【０００６】本考案は、このような従来の問題点に着目してなされたもので、カイロと人体の間に空気の隙間が出来る様にしたものです。カイロと人体の間の空気は、カイロの熱で温められ、身体の胸部とかに行き渡り、身体の広範囲を暖める様に工夫したものです。
【課題を解決するための手段】
【０００７】カイロを袋に入れて、上着、ズボンとかのポケットにいれても、身体とカイロの間の距離が開きすぎて、身体が思う様に温まらない。また袋に入れて身体に密着すると、今度は熱くなり過ぎる事になります。従来の帯ベルトに袋を取り付けカイロをいれて、身体に巻きつけても同じで、カイロが密着し過ぎて熱く成り過ぎます。これは、カイロと身体との間に空気の隙間がない為、熱くなり過ぎる事になります。一般的に空気は、下着、カイロ袋等よりも熱伝導率が低くいのが特徴です。
【０００８】本考案は、この熱伝導率の低い空気を利用して、カイロの熱が直接身体の肌に伝わらないで、空気を暖めて、その空気で身体を温める様にすれば、ほんのり暖かくなり、熱くなるのが防げます。
【０００９】その為には、カイロと身体との間に空気の隙間を作る必要があります。またカイロと身体との間の空気は、ある程度循環すれば、尚理想的と思います。
カイロと身体の間の空気が循環しないと、空気がカイロの熱で熱くなり過ぎて、カイロの熱が身体に直接伝わるのと同じで熱くなり過ぎます。
【００１０】本考案は、このカイロと身体の間に空気の隙間を作り、しかもその隙間の空気が循環する事を目的に開発しました。
カイロと身体の間に空気の隙間を作るには、カイロを身体から僅か離れている状態にすればよい事になります。その為には、カイロを空中に浮かす必要があります。
【００１１】そこで考えられたのが、カイロを肩から帯ベルトで吊下げて、カイロが直接肌に触れない様にしました。カイロを帯ベルトで肩から吊下げると、カイロは自重で下方向にしか、力が加わらず、身体とカイロの間には空気の隙間ができます。カイロと身体の間の空気はカイロで温められて、自然に暖かい空気は上昇していきます。必然的に、カイロと身体の間の空気は上に移動します。
【００１２】本考案品は、下着と上着の間に使用する事によって、肩から吊るされたカイロと身体の間の隙間の空気は、カイロで温められて、下着と上着の間を上昇して、身体の上層部を空気で暖める事になるのです。暖められた空気は上着を上に着用しているので、身体の外に出る事はなく、身体全体が温まります。
この原理は、オイルパネルヒーターと同じで、カイロの熱で一旦空気を暖め、その空気の暖かさで身体を暖める事にしています。カイロの熱が、空気層で和らげられ、その暖められた空気が、下着と上着の間を自然と上に移動する事によって身体を暖めます。
【実施例】
【００１３】以下、図面に基づき本考案を説明する。
図１は、本考案の斜図（構成図）を示している。図１の▲１▼、▲２▼はカイロを入れる布袋です。この布袋を帯ベルト▲３▼と▲４▼で図の様に縫いつけます。この状態で身体に巻きつけて利用するのではなく、▲３▼と▲４▼の帯ベルトは▲５▼と▲６▼の帯ベルトで肩から吊るして使用出来る様に、▲５▼と▲６▼の帯ベルトを図の様に帯ベルト▲３▼と▲４▼に垂直になる方向に、図の様に輪になる様に縫いつけます。図１の帯ベルト▲７▼は、肩から帯ベルト▲５▼、▲６▼が外れない為のものであり、帯ベルト▲７▼はなくても特に支障はない。また図２は、帯ベルト▲５▼と▲６▼を交差させて、帯ベルト▲７▼を省略する事もできます。【００１４】次に、使用方法を説明する。
本考案品は図３に示すように、下着の上に本製品を装着します。図の▲１▼と▲２▼はカイロ入れの袋で、この中にカイロを入れます。カイロ袋▲１▼と▲２▼は、帯ベルト▲５▼と▲６▼で吊り下げられているので、必然的にカイロ袋の▲１▼と▲２▼と身体との間に空気の隙間ができます。図３の様に装着し、その上から、上着を着用します。そうする事によって、図３のカイロ袋▲１▼と▲２▼と身体の間に出来た隙間の空気はカイロの熱で暖められて、自然に上昇します。上着を着用しているので、暖められた空気は、下着と上着の間を上昇していき、身体の上層部を暖めます。
【考案の効果】
【００１５】図３の様に、カイロ袋▲１▼と▲２▼は、身体に密着するのではなく、肩から吊り下げているので、どうしても身体とカイロ袋▲１▼と▲２▼の間に隙間が出来ます。この隙間を上着を着用する事によって、上着の僅かな横方向の力で身体に僅かな力で当たります。その事により、カイロ袋▲１▼と▲２▼と身体の間の空気の隙間はほど良い適度な隙間を保つ事になります。このカイロ袋▲１▼と▲２▼と身体に出来た僅かな空気の隙間を効率よく暖め、この暖められた空気を利用して、身体を間接的に暖めます。この暖めは、オイルパネルヒーターと同じで、ほんわりとした暖かさを得る事ができます。
【図面の簡単な説明】
【００１６】
【図１】本考案のカイロ吊りベルトの斜図である。
【図２】本考案のカイロ吊りベルトの吊ベルトを交差した場合の斜図である。
【図３】本考案の使用方法を示した図である。
【図４】本考案の正面図である。
【図５】本考案の左側面図である。
【図６】本考案の右側面図である。
【図７】本考案の上面図である。
【図８】本考案の下面図である。
【図９】本考案の背面図である。
【符号の説明】
【００１７】▲１▼  カイロ袋
▲２▼  カイロ袋
▲３▼  カイロ袋固定帯ベルト
▲４▼  カイロ袋固定帯帯ベルト
▲５▼  吊り帯ベルト
▲６▼  吊り帯ベルト
▲７▼  横ズレ防止帯ベルト
【図１】
0003185493.tif 000003
【図２】
0003185493.tif 000004
【図３】
0003185493.tif 000005
【図４】
0003185493.tif 000006
【図５】
0003185493.tif 000007
【図６】
0003185493.tif 000008
【図７】
0003185493.tif 000009
【図８】
0003185493.tif 000010
【図９】
0003185493.tif 000011
【手続補正書】
【提出日】平成25年2月8日(2013.2.8)
【手続補正１】
【補正対象書類名】実用新案登録請求の範囲
【補正対象項目名】全文
【補正方法】変更
【補正の内容】
【実用新案登録請求の範囲】
【請求項１】
カイロを身体に装着時に使用するものであって、カイロを入れる袋▲１▼、▲２▼に、それを固定する帯ベルト▲３▼、▲４▼と、人体の肩から吊るす為の帯ベルト▲５▼、▲６▼の形状を有するカイロ吊りベルト。
【手続補正書】
【提出日】平成25年5月27日(2013.5.27)
【手続補正１】
【補正対象書類名】実用新案登録請求の範囲
【補正対象項目名】全文
【補正方法】変更
【補正の内容】
【実用新案登録請求の範囲】
【請求項１】
かいろを入れるカイロ袋（１，２）をカイロ袋固定帯ベルト（３，４）に固定し、２本の吊り帯ベルト（５，６）の両端をそれぞれ前記カイロ袋固定帯ベルト（３，４）に縫いつけたことを特徴とするカイロ吊りベルト。